(57)【要約】【課題】歩行時の腕振りによって生じる遠心力を利用することにより、歩行者が正しい腕振りを行い、自然に正しい歩き方を体に覚えさせることを目的とする。【解決手段】右手と左手に１つずつ握って歩行するための器具であって、右手又は左手で握るための握り部１０と、握り部１０の反対側に設置された重量部３０と、握り部１０と重量部３０との間を繋いでおり、略中心部もしくは略中心部よりも握り部１０側の部位において角度調整機能を有する連結ロッド４０とからなる腕振り矯正具１０により前記課題を解決した。【選択図】図１
2015073722.tif 000002
【特許請求の範囲】
【請求項１】
右手と左手に１つずつ握って歩行するための器具であって、
右手又は左手で握るための握り部と、
前記握り部の反対側に設置された重量部と、
前記握り部と前記重量部との間を繋いでおり、略中心部もしくは略中心部よりも握り部側の部位において角度調整機能を有する連結ロッドとからなる腕振り矯正具。
【請求項２】
前記連結ロッドは、長さ調整機能を備えることを特徴とする請求項１に記載の腕振り矯正具。
【請求項３】
前記重量部又は前記連結ロッドは、前記重量部の最大断面積よりも面積の広い平板を備えていることを特徴とする請求項１または請求項２に記載の腕振り矯正具。
【発明の詳細な説明】
【技術分野】
【０００１】
本発明は、ウォーキング等の歩行時において右手と左手に１つずつ持って歩行するための器具であって、歩行時の腕振りによって生じる遠心力を利用することにより、歩行者がバランス良く前後に腕振りを行いつつ、意識せずとも、自然に正しい歩き方に矯正することを目的とする歩行時における腕振り矯正具である。
【背景技術】
【０００２】
最近は健康ブームであり、特に中高年者の健康に対する関心が高く、手軽で身近な運動としてウォーキング等が盛んに行われている。ウォーキングをする人の中には体力（特に腕力）を増強する目的でアレー状の器具を持ちながらウォーキングすることにより筋力アップを図ろうとする人もいる。
【０００３】
ウォーキングは手軽に行える運動として健康の維持には最適であるといえるものの、正しい歩き方をしていないとその効果は半減する。健康を維持する正しい歩行をするためには正しい腕振りをすることが肝要である。確かに歩行は主として脚の運動であり、腕振りは歩行に関しては補助的な運動でしか無いとも考えられる。
【０００４】
しかしながら、歩行時の腕振りに伴う上半身（両肩部）の捻転運動は、脚の蹴り出し及び下半身（腰部）の捻転運動とのバランスを取り、しかも腕振りの方向や強弱により歩行運動全体をコントロールするという重要な役割を果たしている。即ち、健康を維持するような正しい歩行をするためには、まずは正しい腕振りが不可欠であるといえる。バランスよく前後に腕を振って歩くことが歩行の基本中の基本であると言える。
【０００５】
最近では、特許文献１の如く、握り部と平板状のバランス部とを連結ロッドを介して連結した構成を有する用具で平板状のバランス部の表裏面に空気抵抗を生じさせることにより、歩行のバランスを良くする作用効果を発揮する器具が知られている。この器具は、歩行を積極的に補助するものでも、筋力を増強するものでもなく、散歩時に使用して快適な歩行を促す目的の歩行補助具（特許文献１  要約参照）である。
【先行技術文献】
【特許文献】
【０００６】
【特許文献１】特開２０１１−２００５４３号公報
【発明の概要】
【発明が解決しようとする課題】
【０００７】
しかしながら、特許文献１に係る歩行補助具は、補助具を持つことで、歩行時の腕振りの意識が高まり歩行のバランスを良くする効果があるとのことであるが、歩行時の腕振りの意識が高まっただけで何らかの矯正力が働かなければ正しい腕振りをすることはできないし、正しい歩き方をすることもできない。即ち、特許文献１に係る歩行補助具では、歩行者が正しい腕振りをすることにより自然に正しい歩き方を身に着けることは困難であると考えられる。
【０００８】
本発明の目的は、歩行時の腕振りによって生じる遠心力を利用して、歩行者が正しい腕振りをすることにより、自然に正しい歩き方を身に着けることを目的とする腕振り矯正具を提供することにある。
【課題を解決するための手段】
【０００９】
上記課題を解決するために、本願請求項１に記載した発明は、右手と左手に１つずつ握って歩行するための器具であって、右手又は左手で握るための握り部と、前記握り部の反対側に設置された重量部と、前記握り部と前記重量部との間を繋いでおり、略中心部もしくは略中心部よりも握り部側の部位において角度調整機能を有する連結ロッドとからなる腕振り矯正具であることを特徴とするものである。
【００１０】
本願請求項２に記載した発明は、連結ロッドは、長さ調整機能を備えることを特徴とする請求項１に記載の腕振り矯正具であることを特徴とするものである。
【００１１】
本願請求項３に記載した発明は、重量部又は連結ロッドは、重量部の最大断面積よりも面積の広い平板を備えていることを特徴とする腕振り矯正具であることを特徴とするものである。
【発明の効果】
【００１２】
昔からずっと言われ続けているように、両腕を進行方向に向かって前後にバランス良く、大きく振って歩くということは、歩行の基本中の基本である。本願請求項１に係る腕振り矯正具は、連結ロッドを介して握り部の反対側に重量部が設置されているため、歩行時において重量部は、腕振り矯正具の先端（すなわち遠心力が最も大きく働く位置）に位置することになる。重量部にはある程度の重量があることにより、腕振り時に遠心力が発生する。
【００１３】
かかる遠心力により増強された腕振りによって、上半身（肩部）の捻転運動が増強され、増強された上半身（肩部）の捻転運動とのバランスを取るために、脚の蹴り出し及び下半身（腰部）の捻転運動も意識せずとも自然に増強された腕振りに引きずられて増強される。これによって体全体を大きく動かすことができ、結果として正しい歩行動作が自然とできるようになる。
【００１４】
本願請求項２に係る腕振り矯正具は、連結ロッドが角度調整機能を有しているため、使用者の好み及び目的に合わせて連結ロッドの角度を調整することで、遠心力の働く領域を自由に調整することができる。
【００１５】
人間は前後に腕振りをする時、肩関節の構造上の理由により、真横から見ると後方向に腕を振る時の振り幅よりも前方向に振る時の振り幅の方が大きくなる傾向がある。簡単に言うと前方向への腕振りの方が、後方向への腕振りよりも容易であるということである。この傾向は加齢とともに顕著に見られるようになる。一般的に、加齢によって起こりやすい老人性の歩行の特徴として、腕振りが乏しいといったものが挙げられるのであるが、加齢に伴って、後ろ方向に腕を振る時の振り幅が小さくなり、これに合わせて前に振る時の振り幅も小さくなると考えられる。
【００１６】
後ろに腕を振る時の振り幅が小さくなった結果、中高齢者が、腕を大きく振ろうと意識して一生懸命に歩くと、前方にばかり腕を振り上げて、後方へ振れていないという現象が起こり、前後にバランス良く腕を振るという歩行の理想形からはかけ離れた状態になってしまう。即ち、前方にばかり腕を振り上げて歩く人は、上半身が反り返って、脚を後ろへ蹴り出せない変な歩き方になってしまい好ましくない。
【００１７】
このような好ましくない歩き方を矯正するために、連結ロッドの角度を進行方向とは反対側に折り曲げるように調整することで、遠心力の働く領域を進行方向とは逆の方向に移動（回動）させることができるため（図３参照）、真横から見て後ろに腕を振る時の振り幅を大きくする方向に遠心力を利用して矯正するとともに、前に振る時の振り幅を小さくする方向に遠心力を利用して矯正することができ、前後にバランス良く腕を振ることができるようになる。
【００１８】
本願請求項２に係る腕振り矯正具は、連結ロッドが長さ調整機能を有しているため、使用者の好み及び目的に合わせて連結ロッドの長さを調整することで、物理学的に言えば慣性モーメント量を調整することで、歩行時に発生する遠心力の大きさを調整することができる。
【００１９】
本願請求項３に係る腕振り矯正具は、重量部又は連結ロッドに、重量部の最大断面積よりも面積の広い平板が、腕振り時に最も空気抵抗が生じないような向きに設置されている。これは、歩行時における腕振りの方向を矯正するためのものである。即ち、使用者は、腕振り歩行時に平板による空気抵抗を感じない方向に向かって腕振りすることで腕振りの角度が正しくなるように歩きながら調整することができる。
【図面の簡単な説明】
【００２０】
【図１】腕振り矯正具の全体図である。
【図２】本発明に係る腕振り矯正具の使用状態を表す図である。
【図３】連結ロッドの角度調整機能による効果を説明する図である。
【発明を実施するための形態】
【００２１】
＜腕振り矯正具の構造＞
以下、本考案に係る腕振り矯正具１０について、図１〜図３を参照しつつ詳細に説明する。図１は、腕振り矯正具１０の全体図である。連結ロッド４０の一端に握り部２０が設置されている。握り部２０は、右手又は左手の指を使って握るようにして掴む事ができるような形状になっている。連結ロッド４０を挟んで、握り部２０の反対側には、重さ２００ｇ〜３００ｇ（２３０ｇ〜２７０ｇであればさらに好ましい）で直径３０ｍｍ〜５０ｍｍ程度の略球状の重量部３０が設置されている。そして、握り部２０と重量部３０との間を繋ぐ長さ２０ｃｍ〜４０ｃｍ（長さ調整可能）の連結ロッド４０が記載されている。
【００２２】
連結ロッド４０は、図１に示すように中心付近、または中心よりも握り部２０側の部位に一般的な止め螺子等による角度調整機能を備えており、自由に角度を調整することができるようになっている。本発明の目的に合った通常の使用方法では「くの字」に折れ曲げる方向は、後方向に腕を振る時の振り幅を遠心力により矯正して大きくしようとするため、進行方向とは逆の方向としているが、骨格の歪み矯正等、使用者の目的に合わせて、進行方向と同じ方向に向かって折り曲げて使用することもできる。
【００２３】
さらに、連結ロッド４０に重量部３０の最大断面積よりも面積の広い厚さ２ｍｍ〜３ｍｍ程度の平板（図示しない）が、腕振り時に最も空気抵抗が生じないような向き（平板は腕振り方向と平行な関係にある）に設置することもできる。使用者はこの平板により、腕振り時に空気抵抗を感じない方向に向かって腕振りすることで腕振りの角度が正しくなるように歩きながら調整することができる。
【００２４】
＜腕振り矯正具の使用方法＞
図２は、本発明に係る腕振り矯正具の使用状態を表す図である。図２に示すように本発明に係る腕振り矯正具は、単に、ウォーキング等の歩行時において右手と左手に１つずつ持って歩行するだけのものであり、極めて簡単に取り扱うことができる。
【００２５】
通常の使用方法では「くの字」に折れ曲げる方向は、後方向に腕を振る時の振り幅を遠心力により矯正して大きくしようとするため、進行方向とは逆の方向としているが、体の左右の歪みを矯正するために、例えば右手に持った腕振り矯正具１０だけを進行方向と同じ方向に「くの字」に折り曲げて使用することもできる。
【００２６】
＜腕振り矯正具の効果＞
本願発明に係る腕振り矯正具１０は、連結ロッド４０を介して握り部２０の反対側に重量部３０が設置されているため、歩行時において重量部３０に重さがあることにより、腕振り時に遠心力が発生する。かかる遠心力により増強された腕振りによって、上半身（両肩部）の捻転運動が増強され、増強された上半身（両肩部）の捻転運動とのバランスを取るために、脚の蹴り出し及び下半身（腰部）の捻転運動も意識せずとも自然に増強された腕振りに引きずられて増強される。これによって体全体を大きく正しく動かすことができ、結果として正しい歩行動作が自然とできるようになる。
【００２７】
本願発明に係る腕振り矯正具１０は、連結ロッド４０が角度調整機能を有しているため、使用者の好み及び目的に合わせて連結ロッド４０の角度を調整することで、遠心力の働く領域を自由に調整することができる。
【００２８】
人間の骨格構造上、進行方向に向かって前後に腕振りをする時、後ろ方向への腕振りの方が、前方向への腕振りよりも小さくなってしまうようになっている。この現象は、加齢とともに顕著に見られるようになる。その結果、加齢に伴って後ろ方向に腕を振る時の振り幅が小さくなり、これに合わせて前に振る時の振り幅も小さくなると考えられる。
【００２９】
後ろに腕を振る時の振り幅が小さくなった結果、中高齢者が、腕を大きく振ろうと意識して一生懸命に歩くと、腕振りし易い前方にばかり腕を振り上げて、腕振りし難い後方へは腕が振れていないという現象が起こり、前後にバランス良く腕を振るという歩行の理想形からはかけ離れた状態になってしまう。
【００３０】
図３は連結ロッドの角度調整機能による効果を説明する図である。本願発明に係る腕振り矯正具１０は、比較的高年齢で筋力が低下してしまった人であっても、重さによる疲労を感じることなく、上記のような好ましくない歩き方を矯正するために、連結ロッド４０の角度を進行方向とは反対側に折り曲げるように調整することで、遠心力の働く領域を進行方向とは逆の方向に移動（回動）させることができるため（図３の点線の範囲から実線の範囲へ移動）、真横から見て後ろに腕を振る時の振り幅を大きくする方向に遠心力を利用して矯正するとともに、前に振る時の振り幅を小さくする方向に遠心力を利用して矯正することができ、前後にバランス良く腕を振ることができるようになる。
【００３１】
後ろに腕を振る時の振り幅を大きくする方向に、遠心力による矯正効果をより大きくするためには、略中心部よりも握り部側の部位において角度調整機能を有することが望ましいと言える。
【００３２】
さらに、本願発明に係る腕振り矯正具１０は、重量部３０又は連結ロッド４０に、重量部３０の最大断面積よりも面積の広い平板（図示しない）が、腕振り時に最も空気抵抗が生じないような向きに設置されている。これは、歩行時における腕振りの方向を矯正するためのものである。即ち、使用者は、腕振り歩行時に平板による空気抵抗を感じない方向に向かって腕振りすることで腕振りの角度が正しくなるように歩きながら調整することができる。
【００３３】
＜腕振り矯正具の変更例＞
本発明に係る腕振り矯正具１０の構成は、上記実施形態の態様に何ら限定されるものではなく、握り部２０、重量部３０、連結ロッド４０、平板等の構成を、本発明の趣旨を逸脱しない範囲で、必要に応じて適宜変更することができる。例えば、右手及び左手と握り部２０とをそれぞれベルト等で固定して使用することもできる。
【産業上の利用可能性】
【００３４】
本発明に係る腕振り矯正具は、上記の如く優れた効果を奏するものであるので、歩行者が正しい腕振りをすることにより自然に正しい歩き方を身に着けることができることを目的とする歩行矯正具の分野で好適に用いることができる。
【符号の説明】
【００３５】
１０・・腕振り矯正具
２０・・握り部
３０・・重量部
４０・・連結ロッド
【図１】
2015073722.tif 000003
【図２】
2015073722.tif 000004
【図３】
2015073722.tif 000005